(57)【要約】【課題】無駄な電力が消費されることを低減することができる画像出力装置を実現する。【解決手段】実施形態によれば、イメージセンサ手段は、撮影画像内のフレーム間の差分に基づいて前記撮影画像内の物体の動きの有無を検出する。輝度変化検出手段は、表示対象の画像信号内のフレーム間の輝度の変化が所定値以上となる輝度変化点を検出する。制御手段は、前記動きの有無の検出結果と前記輝度変化点の検出結果とに基づいて、前記輝度変化点に対応する期間に検出される動きを除外した状態で、前記動きが検出されない期間が所定期間継続したか否かを判定し、前記動きが検出されない期間が前記所定期間継続した場合に前記画像出力装置を省電力モードに移行させる。【選択図】図２
2013214794.tif 000002
【特許請求の範囲】
【請求項１】
表示対象の画像信号に対応する画像をディスプレイに表示させるように構成された画像出力装置であって、
観察空間を撮影することによって得られる撮影画像内のフレーム間の差分に基づいて前記撮影画像内の物体の動きの有無を検出するイメージセンサ手段と、
前記表示対象の画像信号内のフレーム間の輝度の変化が所定値以上となる輝度変化点を検出する輝度変化検出手段と、
前記動きの有無の検出結果と前記輝度変化点の検出結果とに基づいて、前記輝度変化点に対応する期間に検出される動きを除外した状態で、前記動きが検出されない期間が所定期間継続したか否かを判定し、前記動きが検出されない期間が前記所定期間継続した場合に前記画像出力装置を省電力モードに移行させる制御手段とを具備する画像出力装置。
【請求項２】
前記観察空間の照度を測定するセンサをさらに具備し、
前記制御手段は、前記観察空間の照度が前記基準値よりも低い場合、前記輝度変化点に対応する期間に検出される動きを除外した状態で、前記動きが検出されない期間が前記所定期間継続したか否かを判定する請求項１記載の画像出力装置。
【請求項３】
前記輝度変化検出手段は、前記表示対象の画像信号内において所定のフレーム間隔だけ離れた任意のフレーム間の輝度を比較することによって前記表示対象の画像信号内の輝度変化点を検出するように構成されている請求項１記載の画像出力装置。
【請求項４】
前記輝度変化検出手段は、前記表示対象の画像信号内の連続する第１のフレーム群の輝度と前記第１のフレーム群よりも所定のフレーム間隔だけ時間的に過去の連続する第２のフレーム群の輝度とを比較することによって、前記表示対象の画像信号内の輝度変化点を検出するように構成されている請求項１記載の画像出力装置。
【請求項５】
前記所定のフレーム間隔は可変設定可能である請求項４または５記載の画像出力装置。
【請求項６】
表示対象の画像信号に対応する画像をディスプレイに表示させるように構成された画像出力装置を制御する制御方法であって、
観察空間を撮影することによって得られる撮影画像内のフレーム間の差分に基づいて前記撮影画像内の物体の動きの有無を検出し、
前記表示対象の画像信号内のフレーム間の輝度の変化が所定値以上となる輝度変化点を検出し、
前記動きの有無の検出結果と前記輝度変化点の検出結果とに基づいて、前記輝度変化点に対応する期間に検出される動きを除外した状態で、前記動きが検出されない期間が所定期間継続したか否かを判定し、
前記動きが検出されない期間が前記所定期間継続した場合に前記画像出力装置を省電力モードに移行させる制御方法。
【請求項７】
前記観察空間の照度を測定することをさらに具備し、
前記判定することは、前記観察空間の照度が前記基準値よりも低い場合、前記輝度変化点に対応する期間に検出される動きを除外した状態で、前記動きが検出されない期間が前記所定期間継続したか否かを判定することを含む請求項６記載の制御方法。
【発明の詳細な説明】
【技術分野】
【０００１】
本発明の実施形態は、画像をディスプレイに表示するための画像出力装置および同装置に適用される制御方法に関する。
【背景技術】
【０００２】
近年、テレビジョン（ＴＶ）のような種々の画像出力装置が開発されている。これら画像出力装置の中には、省電力制御機能を有する画像出力装置がある。この省電力制御機能は、画像出力装置を通常モードと省電力モードとの間で切り換える。
【０００３】
例えば、人物（観察者）が画像出力装置から所定の範囲内に存在するか否かが検出され、この検出結果に基づいて画像出力装置の動作モードが通常モードと省電力モードとの間で切り換えられる。画像出力装置から所定の範囲内に人物が存在しない場合には、画像出力装置の動作モードは通常モードから省電力モードに切り換えられる。
【先行技術文献】
【特許文献】
【０００４】
【特許文献１】特開２０１１−２０２９８７号公報
【発明の概要】
【発明が解決しようとする課題】
【０００５】
上述の省電力制御機能を有用なものとするためには、人物が存在するか否かを精度よく検出することが必要となる。例えば、もし人物が画像出力装置の周囲に存在しないにもかかわらず、誤って人物の存在が検出されてしまうと、省電力制御機能が正常に動作しなくなり、無駄な電力が消費される可能性がある。
【０００６】
本発明は、無駄な電力が消費されることを低減することができる画像出力装置および制御方法を提供することを目的とする。
【課題を解決するための手段】
【０００７】
実施形態によれば、画像出力装置は、表示対象の画像信号に対応する画像をディスプレイに表示させるように構成されている。前記画像出力装置は、イメージセンサ手段と、輝度変化検出手段と、制御手段とを具備する。前記イメージセンサ手段は、観察空間を撮影することによって得られる撮影画像内のフレーム間の差分に基づいて前記撮影画像内の物体の動きの有無を検出する。前記輝度変化検出手段は、前記表示対象の画像信号内のフレーム間の輝度の変化が所定値以上となる輝度変化点を検出する。前記制御手段は、前記動きの有無の検出結果と前記輝度変化点の検出結果とに基づいて、前記輝度変化点に対応する期間に検出される動きを除外した状態で、前記動きが検出されない期間が所定期間継続したか否かを判定し、前記動きが検出されない期間が前記所定期間継続した場合に前記画像出力装置を省電力モードに移行させる。
【図面の簡単な説明】
【０００８】
【図１】実施形態に係る画像出力装置の外観を示す図。
【図２】同実施形態の画像出力装置のシステム構成を示すブロック図。
【図３】同実施形態の画像出力装置内の出力画像生成部の構成を示すブロック図。
【図４】同実施形態の画像処理装置内のイメージセンサモジュールによって実行される動き検出処理を説明するための図。
【図５】同実施形態の画像処理装置のディスプレイの明るさの変化に起因して発生する、動きの誤検出を説明するための図。
【図６】同実施形態の画像処理装置によって実行される輝度変化検出処理の手順を示すフローチャート。
【図７】同実施形態の画像処理装置によって実行される、出力画像内のフレーム間の輝度を比較する動作を説明するための図。
【図８】同実施形態の画像処理装置によって実行される、出力画像内のフレーム間の輝度を比較する動作の他の例を説明するための図。
【図９】同実施形態の画像処理装置によって実行される省電力制御処理の手順を示すフローチャート。
【図１０】図９の省電力制御処理内の一部の処理の手順例を示すフローチャート。
【図１１】同実施形態の画像処理装置のシステム構成の他の例を示すブロック図。
【図１２】図１１の画像処理装置に適用される省電力制御処理内の一部の処理の手順例を示すフローチャート。
【発明を実施するための形態】
【０００９】
以下、実施の形態について図面を参照して説明する。  
まず、図１を参照して、一実施形態に係る画像出力装置１０の構成について説明する。この画像出力装置１０は、表示対象の画像信号に対応する画像をディスプレイに表示させる装置であり、例えば、テレビジョン（ＴＶ）として実現されている。この画像出力装置１０は、画像出力装置１０のディスプレイの正面側に対応する観察空間に観察者（人物）が存在するか否かを検出するために、動き検出機能付きのイメージセンサモジュール２１を備えている。
【００１０】
すなわち、イメージセンサモジュール２１はＣＭＯＳセンサのような撮像素子を有しており、画像出力装置１０のディスプレイの正面側に対応する観察空間を撮影することによって得られる撮像画像の動きを解析して動き検出を行うように構成されている。つまり、イメージセンサモジュール２１は撮影画像内のフレーム間の差分に基づいて任意の物体の動きの有無を検出する。撮影画像に動きがあることが検出された場合、つまり撮影画像内の任意の物体の動きが検出された場合には、画像出力装置１０は、観察空間内に観察者が存在すると推定する。一方、撮影画像に動きがない場合には、画像出力装置１０は、観察空間内に観察者が存在しないと推定する。画像出力装置１０は、イメージセンサモジュール２１による動き検出結果を利用することにより、省電力制御（例えば、テレビの前の観察空間内に動きがないときは人がいないと判断して画面を消すといった制御）を行うことができる。
【００１１】
次に、図２を参照して、画像出力装置１０のシステム構成の例を説明する。  
画像出力装置１０は、上述のイメージセンサモジュール２１に加え、出力画像生成部１１、フラットパネルディスプレイ（例えばＬＣＤ）のようなディスプレイ１２、出力画像輝度変化検出部１３、省電力制御部１４等を備えている。
【００１２】
出力画像生成部１１は表示対象の画像信号に対応する画像をディスプレイ１２に表示させる処理部である。この出力画像生成部１１は、アンテナによって受信される放送信号内の番組データをデコードして、表示対象の出力画像信号である出力画像データを生成する。この出力画像生成部１１は、図３に示されているように、チューナ１１１、セレクタ（ＳＥＬ）１１２、および画像信号処理部１１３等から構成してもよい。
【００１３】
チューナ１１１はテレビジョン放送信号を受信および選局する。チューナ１１１によって選局されるチャンネルの放送番組データ内に含まれる画像データはセレクタ（ＳＥＬ）１１２に送られる。セレクタ（ＳＥＬ）１１２は、放送番組データ内の画像データ、または外部入力端子を介して入力される画像データの一方を選択する。選択された画像データは画像信号処理部１１３に送られる。画像信号処理部１１３は選択された画像データに対して各種信号処理を施すことによって出力画像データを生成する。生成された出力画像データは図２のディスプレイ１２に送られ、出力画像データに対応する画像がディスプレイ１２の画面上に表示される。さらに、生成された出力画像データは、図２の出力画像輝度変化検出部１３にも供給される。
【００１４】
出力画像輝度変化検出部１３は、表示対象の画像信号（出力画像データ）のフレーム間の輝度の変化が所定値以上となる輝度変化点を検出する。例えば、出力画像データのシーケンス内における暗いシーンから明るいシーンへのシーン変化点や、出力画像データのシーケンス内における明るいシーンから暗いシーンへのシーン変化点などが輝度変化点として検出される。出力画像データに対応する画像がディスプレイ１２の画面上に表示され、その画像に対応する光がディスプレイ１２から画像出力として出力されるので、出力画像輝度変化検出部１３によって検出される輝度変化点は、ディスプレイ１２の画像出力の時間軸上における明／暗の変化点を示す。
【００１５】
上述したように、イメージセンサモジュール２１は撮像画像内のフレーム間の差分に応じて動きの有無を検出する。換言すれば、イメージセンサモジュール２１は撮像画像内のフレーム間の差分に応じて、撮像画像内に動きを伴う動領域が存在するか否かを検出する。このイメージセンサモジュール２１による動き検出結果は、ディスプレイ１２に表示される出力画像自体の明るさの変化に起因する光の反射に影響を受ける可能性がある。なぜなら、ディスプレイ１２に表示される出力画像自体の明るさの変化により、観察空間内の白い置物のような物体からの反射光の強さや色が変化し、この反射光の強さや色の変化が動き（動領域）として誤検出される可能性があるからである。このような誤検出が発生した場合、観察空間内に観察者が存在しないにもかかわらず、出力画像自体の明るさの変化が発生した時に、画像出力装置１０が省電力モードから通常モードに戻されてしまったり、あるいは観察区間内に観察者が存在しないにもかかわらず画像出力装置１０が通常モードに維持されてしまい、省電力モードに入らない場合がある。
【００１６】
本実施形態では、このような現象を防止できるようにするために、出力画像輝度変化検出部１３によって検出される輝度変化点が利用される。
【００１７】
省電力制御部１４は、動き検出の結果を示す動き検出フラグをイメージセンサモジュール２１から取得し、その動き検出フラグに基づいて画像出力装置１０を動作モードと省電力モードとの間で切り換える切り換え処理を実行する。例えば、所定期間動きが検出されなかった場合には、省電力制御部１４は、画像出力装置１０を省電力モードに設定するために、ディスプレイ１２および他の各ブロック１５に省電力命令を送信する。一方、省電力モードにおいて、動きが検出されたり、あるいはユーザによるリモコンユニットの操作等が行われた場合には、省電力制御部１４は、画像出力装置１０を通常モードに戻すために、ディスプレイ１２および他の各ブロック１５に対して復帰命令を送信する。
【００１８】
省電力制御部１４による上述の切り換え処理では、イメージセンサモジュール２１による動き検出結果のみならず、輝度変化点の検出結果も利用される。すなわち、省電力制御部１４は、ディスプレイ１２の画面の明るさの変化に起因する動きの誤検出による影響を低減できるようにするために、イメージセンサモジュール２１による動きの有無の検出結果と、輝度変化点の検出結果とに基づいて、輝度変化点に対応する期間に検出される動きを除外した状態で、動きが検出されない期間が所定期間継続したか否かを判定し、動きが検出されない期間が所定期間継続した場合に画像出力装置１０（ディスプレイ１２および他の各ブロック１５等）を省電力モードに移行させる。
【００１９】
具体的には、省電力制御部１４は、輝度変化点に対応する期間内においては、撮影画像内の物体の動きが検出されたというイメージセンサモジュール２１による動き検出の結果を無効化すればよい。これにより、出力画像自体の明るさの変化に起因する誤動作を防止することができる。
【００２０】
輝度変化点に対応する期間内の間、出力画像輝度変化検出部１３から出力される出力画像輝度変化検出フラグは“１”に設定される。したがって、省電力制御部１４は、例えば、出力画像輝度変化検出フラグが“０”で且つ動きが検出された（動き検出フラグ＝“１”）ことを条件に、観察空間に人物が存在すると推定すればよい。出力画像輝度変化検出フラグが“１”の間は、動き検出フラグ＝“１”は無視される。このように、輝度変化点に対応する期間に検出される動きを除外した状態で、動きが検出されない期間が所定期間継続したか否かを判定することにより、観察空間に人がいないにもかかわらず画像出力装置１０が省電力モードに移行しないという状況の発生を防止することができる。
【００２１】
なお、イメージセンサモジュール２１は動き検出機能のみならず、顔検出機能を有していてもよい。顔検出機能は、撮影画像内の人物の顔を検出する機能である。イメージセンサモジュール２１が顔検出機能を有する場合には、省電力制御部１４は、例えば、所定期間動きが検出されず且つ顔が検出されないことを条件に観察空間に人物が存在しないと推定して、画像出力装置１０を省電力モードに設定してもよい。また、顔が検出されるか、あるいは出力画像輝度変化検出フラグが“０”で且つ動きが検出された場合に、省電力制御部１４は、観察空間に人物が存在すると推定して、画像出力装置１０を省電力モードから通常モードに戻してもよい。
【００２２】
次に、図４を参照して、イメージセンサモジュール２１によって実行される動き検出処理について説明する。
【００２３】
イメージセンサモジュール２１においては、ＣＭＯＳセンサから取得した画像が幾つかのブロックに分割され（図４では１６×１６＝２５６ブロック）、保存済みの前フレームの画像と現フレームの画像がブロック単位で比較され、ブロック毎に画像が一致するかどうか（完全一致でなくても、一定以内のズレも一致と判定）が判定される。不一致ブロック数がある一定以上となった時に、「動きがあった」と判定され、イメージセンサモジュール２１内のレジスタにその結果（動き検出フラグｍｄ）が書き込まれる。図４においては、不一致ブロックはハッチングによって示されている。なお、イメージセンサモジュール２１のＣＭＯＳセンサによって撮像される画像のフレームレートはその画像の輝度に応じて自動変更するようにしてもよい。
【００２４】
次に、図５を参照して、動きの誤検出が発生する様子について説明する。  
例えば暗い部屋の中に、白っぽい置物（図５では熊の置物）などがある場合を想定する。画像出力装置１０の出力画像自体が比較的暗い場合には置物からの反射光は少ないが、画像出力装置１０の出力画像自体が比較的明るい場合には置物からの反射光が増加する。このため、画像出力装置１０が自ら出力する画像の明るさに変化があったときに、その明るさの変化の前後で置物からの反射光の強さが異なるため、それにより「動きがあった」と判定されることがある。図５においては、熊の置物の画像を構成する複数のブロックが上述の不一致ブロックとして検出され、これによって動き検出の誤検出が発生し、意図された省電力制御にならない場合がある（具体的には、人がいないにもかかわらず、動きが検出され、期待された省電力モードに入らない）。
【００２５】
イメージセンサモジュール２１自体には画像出力装置１０から出力される光の変化を検知する機構はないため、イメージセンサモジュール２１自体でのこの誤検出を回避することは難しい。本実施形態では、上述のように、画像出力装置１０内に出力画像輝度変化検出部１３が設けられており、出力画像輝度変化検出部１３の検出結果とイメージセンサモジュール２１の検出結果の双方が省電力制御部１４に供給される。したがって、省電力制御部１４は、人がいないにもかかわらず、ディスプレイ１２の画面の明るさの変化に起因する動きの誤検出によって画像出力装置１０が期待された省電力モードに入らないという事態の発生が抑制されるように、輝度変化点の検出結果を利用して通常モードと省電力モードとの間の切り換え処理を制御することができ、適切な省電力制御を実行することができる。
【００２６】
次に、図６のフローチャートを参照して、出力画像輝度変化検出部１３によって実行される輝度変化検出処理の手順を説明する。
【００２７】
出力画像輝度変化検出部１３は、表示対象の画像信号（出力画像データ）内において所定のフレーム間隔Ｎだけ離れた任意のフレーム間の輝度を比較することによって、出力画像データ内の輝度変化点を検出する。ここで、フレーム間隔Ｎは可変設定することができる。フレーム間隔Ｎは１（現在のフレームと直前のフレームとの比較）でもよいが、フレーム間隔Ｎを２または２以上の値に設定してもよい。フレーム間隔Ｎを２フレーム以上の値に設定することにより、２以上のフレームに跨がった輝度変化を検出できる。また例えば暗いシーンから明るいシーンへの輝度変化においては、明るいシーン内の最初のＮ個のフレームに対応する期間を輝度変化点に対応する期間として検出できる。また、例えば明るいシーンから暗いシーンへの輝度変化においては、暗いシーン内の最初のＮ個のフレームに対応する期間を輝度変化点に対応する期間として検出できる。
【００２８】
出力画像輝度変化検出部１３は、表示対象の画像信号（出力画像データ）内のフレーム毎に当該フレームの輝度を算出する（ステップＳ１１）。ステップＳ１１では、１つのフレーム内の全ての画素の輝度が積算され、このフレーム内の全ての画素の輝度の総和を示す積算輝度などが当該フレームの輝度として算出される。ステップＳ１１の処理は、出力画像データ内のフレームに対して順次実行される。出力画像輝度変化検出部１３は、例えば現在の入力フレームを輝度変化検出処理対象のフレームに設定し、このフレームの輝度（積算輝度）を変数ｂｒ（０）に代入する（ステップＳ１３）。このステップＳ１３に先だって、ｂｒ（０），…，ｂｒ（Ｎ−１）をそれぞれｂｒ（１），…，ｂｒ（Ｎ）にシフトする処理が行われる（ステップＳ１２）。そして、出力画像輝度変化検出部１３は、変数ｂｒ（０）と、現在の入力フレーム（処理対象のフレーム）よりも所定フレーム間隔Ｎだけ過去のフレームの輝度つまり変数ｂｒ（Ｎ）とを比較する（ステップＳ１４）。図７においては、Ｎ＝３の場合の場合に対応する２つのフレームの例が示されている。図７においては、時間的に過去のフレームが左側に示されている。
【００２９】
そして、出力画像輝度変化検出部１３は、処理対象のフレームの輝度（ｂｒ（０））と過去のフレームの輝度（ｂｒ（Ｎ））との間の差分が基準値以上であるか否かを判定する（ステップＳ１５）。処理対象のフレームの輝度（ｂｒ（０））と過去のフレームの輝度（ｂｒ（Ｎ））との間の差分が基準値よりも小さい場合には（ステップＳ１５のＮＯ）、出力画像輝度変化検出部１３は、輝度変化の検出の有無を示す上述の輝度変化検出フラグｂｄを“０”にセットする（ステップＳ１６）。一方、処理対象のフレームの輝度（ｂｒ（０））と過去のフレームの輝度（ｂｒ（Ｎ））との間の差分が基準値以上である場合には（ステップＳ１５のＹＥＳ）、出力画像輝度変化検出部１３は、輝度変化検出フラグｂｄを“１”にセットする（ステップＳ１７）。
【００３０】
例えば、処理対象のフレームが、図７に示すように、暗いシーンに後続する明るいシーンの最初のフレームであった場合には、この処理対象のフレームに対する輝度変化検出処理において輝度変化が検出され、輝度変化検出フラグｂｄが“１”にセットされる。
【００３１】
なお、２つのフレーム間の輝度の比較では無く、表示対象の画像信号内の連続する第１のフレーム群の輝度と、この第１のフレーム群よりも所定のフレーム間隔だけ時間的に過去の連続する第２のフレーム群の輝度とを比較することによって、表示対象の画像信号内の輝度変化点を検出するようにしてもよい。例えば、図８に示すように、連続する２つのフレームの輝度の平均値と、これらフレームよりも過去の連続する２つのフレームの輝度の平均値とを比較するようにしてもよい。なお、輝度の平均値を使用する代わりに、それら２つの連続するフレームの輝度の積算値を使用してもよい。
【００３２】
次に、図９のフローチャートを参照して、省電力制御部１４によって実行される、画像出力装置１０を省電力モードに移行させるための省電力制御処理の手順を説明する。省電力制御処理では、動き検出フラグｍｄを輝度変化検出フラグｂｄでマスクすることにより、動きの誤検出によって動作モードが通常モードに維持されてしまうこと等を抑制する制御が実行される。
【００３３】
すなわち、省電力制御部１４は、リモコンユニットなどから最後に受信したコマンドに対応する処理を完了すると、まず、変数ｌｏｏｐに省電力モード突入までの待ち時間（定数）を代入する（ステップＳ２１）。そして、省電力制御部１４は、ユーザによるリモコンユニットの操作が行われず、且つ動きが検出されない（ｍｄ＝０）というが条件が成立しているか否かを判定し（ステップＳ２２，Ｓ２３）、さらに、この条件が成立している状態が省電力モード突入までの待ち時間（ＬＯＯＰ）だけ継続しているか否かを判定する（ステップＳ２５、Ｓ２６、Ｓ２７）。この条件が成立している状態が省電力モード突入までの待ち時間（ＬＯＯＰ）だけ継続したならば（ステップＳ２５のＮＯ）、省電力制御部１４は、画像出力装置１０を省電力モードに設定する（ステップＳ２８）。
【００３４】
動き検出については、輝度変化検出フラグｂｄ＝“０”で且つ動き検出フラグｍｄ＝“１”であることを条件に動きがあると判定される（ステップＳ２３）。
【００３５】
すなわち、省電力制御部１４は、ユーザによるリモコンユニットの操作が検出された場合（ステップＳ２２のＹＥＳ）、または輝度変化検出フラグｂｄ＝“０”で且つ動き検出フラグｍｄ＝“１”である場合（ステップＳ２３のＹＥＳ）、図９のループから抜けて通常モードの処理に戻る（ステップＳ２４）。
【００３６】
ステップＳ２３では、図１０に示すように、省電力制御部１４は、まず、動き検出フラグｍｄが“１”であるか否かを判定し（ステップＳ３１）、動き検出フラグｍｄが“１”である場合にのみ（ステップＳ３１のＹＥＳ）、輝度変化検出フラグｂｄが“０”であるか否かを判定する（ステップＳ３２）。この場合、輝度変化検出フラグｂｄが“０”であるならば（ステップＳ３２のＹＥＳ）、省電力制御部１４は、図９のループから抜けて通常モードの処理に戻る（ステップＳ２４）。一方、輝度変化検出フラグｂｄが“１”であるならば（ステップＳ３２のＮＯ）、動き検出フラグｍｄが“１”になったことは無視される。これにより、輝度変化点に対応する期間に検出される動きを除外した状態で、動きが検出されない期間が所定期間継続したか否かを判定することができる。
【００３７】
省電力モードから動作モードに復帰する処理も図９のフローチャートと同様のアルゴリズムで実行される。すなわち、省電力制御部１４は、ユーザによるリモコンユニットの操作が行われた場合、または動き検出フラグｍｄ＝“１”であることが検出された場合に、画像出力装置１０を省電力モードに復帰させる。
【００３８】
次に、図１１を参照して、画像出力装置１０の構成の他の例について説明する。図１１の画像出力装置１０においては、図２に示した画像出力装置１０の構成に加え、照度センサ３１がさらに設けられている。
【００３９】
照度センサ３１は、画像出力装置１０の周囲の照度（観察空間内の照度）を測定するセンサである。照度センサ３１によって測定された照度、つまり周辺照度情報は、出力画像生成部１１および省電力制御部１４にそれぞれ供給される。出力画像生成部１１は、周辺照度情報によって示される周囲の照度に基づいて、出力画像データの画質を調整する処理を実行する。省電力制御部１４は、周辺照度情報によって示される周囲の照度を、上述の省電力制御処理に使用する。
【００４０】
観察空間内の照度が高い場合つまり視聴環境が比較的明るい場合には、たとえディスプレイ１２に表示される出力画像自体の明るさが変化しても、イメージセンサモジュール２１に入力される撮像画像に対する影響は比較的少ない。しかし、視聴環境が暗い場合には、ディスプレイ１２に表示される出力画像自体の明るさの変化によって、イメージセンサモジュール２１に入力される撮像画像に影響が及ぼされる。したがって、図１１の構成においては、省電力制御部１４は、周辺照度情報によって示される周囲の照度に基づいて視聴環境（観察空間）の照度が基準値よりも低いか否かを判定し、視聴環境（観察空間）の照度が基準値よりも低い場合ことを条件に、輝度変化点に対応する期間に検出される動きを除外した状態で、動きが検出されない期間が所定期間継続したか否かを判定するという上述の処理を実行する。
【００４１】
この場合、図９のステップＳ２３においては、図１２のフローチャートによって示される手順が省電力制御部１４によって実行される。
【００４２】
省電力制御部１４は、まず、動き検出フラグｍｄが“１”であるか否かを判定し（ステップＳ３１）、動き検出フラグｍｄが“１”である場合には（ステップＳ３１のＹＥＳ）、視聴環境が暗いか否か、つまり周辺照度情報によって示される周囲の照度が基準値よりも低いか否かを判定する（ステップＳ４１）。
【００４３】
周囲の照度が基準値よりも低く（ステップＳ４１のＹＥＳ）、且つ輝度変化検出フラグｂｄが“１”であることを条件に（ステップＳ３２のＮＯ）、動き検出の結果が無視される。このように、出力画像の輝度の変化のみならず、照度センサ３１によって測定される周囲照度をも加味することにより、出力画像の輝度の変化に起因する動きの誤検出のみを除外した状態で、動きが検出されない期間が所定期間継続したか否かを精度よく判定することができる。
【００４４】
以上説明したように、本実施形態によれば、表示対象の画像信号内のフレーム間の輝度の変化が所定値以上となる輝度変化点が検出され、そして、輝度変化点に対応する期間に検出される動きを除外した状態で、前記動きが検出されない期間が所定期間継続したか否が判定される。したがって、特段のハードウェアを追加することなく、観察者が観察空間に存在しないにもかかわらず画像出力装置１０が省電力モードに入らないといった事態の発生を防止することが可能となる。よって、無駄な電力が消費されることを低減することができる。
【００４５】
なお、本実施形態の省電力制御処理の手順はコンピュータプログラムによって実行することもできる。したがって、このコンピュータプログラムを格納したコンピュータ読み取り可能な記憶媒体を通じて、このコンピュータプログラムをコンピュータにインストールして実行するだけで、本実施形態と同様の効果を容易に実現することができる。コンピュータとしては、プロセッサを含む様々な電子機器を使用することができる。
【００４６】
また、本実施形態の画像出力装置１０はＴＶに限らず、セットトップボックス、ビデオレコーダ等であってもよい。
【００４７】
また、イメージセンサモジュール２１、輝度変化検出部１３、およびディスプレイ１２の一つまたは全てを１以上の外部デバイスによって実現してもよい。この場合、画像出力装置１０の省電力制御部１４は１以上の外部デバイスから動き検出フラグおよび出力画像輝度変化検出フラグを受信し、受信された動き検出フラグおよび受信された出力画像輝度変化検出フラグを用いて省電力制御を実行すればよい。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
１０…画像出力装置、１１…出力画像生成部、１２…ディスプレイ、１３…出力画像輝度変化検出部、１４…省電力制御部、２１…イメージセンサモジュール。
【図１】
2013214794.tif 000003
【図２】
2013214794.tif 000004
【図３】
2013214794.tif 000005
【図４】
2013214794.tif 000006
【図５】
2013214794.tif 000007
【図６】
2013214794.tif 000008
【図７】
2013214794.tif 000009
【図８】
2013214794.tif 000010
【図９】
2013214794.tif 000011
【図１０】
2013214794.tif 000012
【図１１】
2013214794.tif 000013
【図１２】
2013214794.tif 000014